(57)【要約】      （修正有）【課題】車輪によって未収穫領域に植えられている植立茎稈を傷つけるおそれが少ない収穫機を提供する。【解決手段】収穫装置４を備え且つ車輪１にて走行可能に構成され、車輪１の機体横幅方向外方側に位置する状態で植立茎稈を分草案内する分草具４０が備えられ、圃場において走行しながら収穫作業を行う場合に、機体横幅方向外方側に未収穫領域における植立茎稈が近接した状態で存在するような場合であっても、分草具４０により植立茎稈が分草案内されるので、車輪１にて踏み付けられることを回避し易いものになる。【選択図】図２
2014068563.tif 000002
【特許請求の範囲】
【請求項１】
収穫装置を備え且つ車輪にて走行可能に構成された収穫機であって、
前記車輪の機体横幅方向外方側に位置する状態で植立茎稈を分草案内する分草具が備えられている収穫機。
【請求項２】
前記分草具が、前記車輪の前後両側部にわたって延びる状態で設けられている請求項１記載の収穫機。
【請求項３】
前記車輪として、左右一対の前輪と左右一対の後輪とが備えられ、
前記分草具が、前記前輪の横外方側に位置する状態で備えられている請求項１又は２記載の収穫機。
【請求項４】
前記左右一対の前輪が操向操作不能な状態で備えられている請求項３記載の収穫機。
【請求項５】
前記分草具が、前記車輪よりも機体横幅方向内方側に備えられた伝動ケースに支持されている請求項１〜４のいずれか１項に記載の収穫機。
【請求項６】
前記分草具が、前記車輪の回転軸芯よりも下方側の位置で植立茎稈に作用するように構成されている請求項１〜５のいずれか１項に記載の収穫機。
【請求項７】
前記分草具が、分草用下降位置に位置する作用状態と、非作用上昇位置に位置する非作用状態とに切り換え自在に設けられている請求項１〜６のいずれか１項に記載の収穫機。
【請求項８】
前記分草具が、走行車体に固定された支持部材に対して前後向き軸芯周りで回動自在に、且つ、その前後向き軸芯周りでの回動により前記作用状態と前記非作用状態とに切り換え自在に設けられ、
前記分草具を前記作用状態及び前記非作用状態にて位置保持可能な保持手段が備えられている請求項７記載の収穫機。
【請求項９】
前記保持手段がネジ締結により前記分草具と前記支持部材とを位置固定するものである請求項８記載の収穫機。
【請求項１０】
前記支持部材に、前記走行車体に固定される固定部と、その固定部から機体前後両側方に延びる前後一対のアーム部とが備えられ、
前記分草具が、前後一対の前記アーム部の延出端部に支持されている請求項８又は９記載の収穫機。
【請求項１１】
前記分草具に、前記前後向き軸芯から下向きに延びる下向き延設部と、その下向き延設部の下端部から機体横幅方向外方側に向かって一体的に延びる横向き延設部と、その横向き延設部の延出端部から前後方向に延びる分草作用部とが備えられている請求項８〜１０のいずれか１項に記載の収穫機。
【請求項１２】
前記横向き延設部が前記下向き延設部よりも長尺に設けられている請求項１１記載の収穫機。
【請求項１３】
前記支持部材が、前記車輪よりも機体横幅方向内方側に備えられた伝動ケースに支持されている請求項８〜１２のいずれか１項に記載の収穫機。
【発明の詳細な説明】
【技術分野】
【０００１】
本発明は、収穫装置を備え且つ車輪にて走行可能に構成された収穫機に関する。
【背景技術】
【０００２】
従来の収穫機の一例として、左右一対の前輪と左右一対の後輪とを備えた４輪式の走行車体を有する収穫機があり、それら複数の車輪の夫々の横外方側は開放される状態となっている（例えば、特許文献１参照。）。
【先行技術文献】
【特許文献】
【０００３】
【特許文献１】特開昭６１−２１５１１０号公報
【発明の概要】
【発明が解決しようとする課題】
【０００４】
上記収穫機は、走行しながら収穫装置により収穫対象物を収穫するものである。そして、圃場に多数植えられている作物を、圃場の一側部から他側部に向けて順次収穫するために、機体横幅方向一方側外方が未収穫領域となり、他方側外方が既収穫領域となる状態で、走行しながら収穫作業を行うことになる。
【０００５】
そして、従来の収穫機では、複数の車輪の横外方側は開放される状態となっているから、圃場で収穫作業を行う場合、車輪により未収穫領域に植えられている植立茎稈を誤って踏み付けてしまうおそれがあった。特に、車輪が車体横幅方向外方側に向けて収穫装置よりも突出しているような場合には、車輪により未収穫領域に植えられている植立茎稈を踏みつけて傷つけるおそれが大となっていた。
【０００６】
本発明の目的は、車輪によって未収穫領域に植えられている植立茎稈を傷つけるおそれが少ない収穫機を提供する点にある。
【課題を解決するための手段】
【０００７】
本発明に係る収穫機の特徴構成は、収穫装置を備え且つ車輪にて走行可能に構成されたものであって、前記車輪の機体横幅方向外方側に位置する状態で植立茎稈を分草案内する分草具が備えられている点にある。
【０００８】
本発明によれば、車輪の機体横幅方向外方側に位置する状態で植立茎稈を分草案内する分草具が備えられているから、圃場において走行しながら収穫作業を行う場合に、機体横幅方向外方側に未収穫領域における植立茎稈が近接した状態で存在するような場合であっても、分草具により植立茎稈が分草案内されるので、車輪にて踏み付けられることを回避し易いものになる。
【０００９】
従って、車輪によって未収穫領域に存在する植立穀稈を傷つけるおそれが少ない収穫機を提供できるに至った。
【００１０】
本発明においては、前記分草具が、前記車輪の前後両側部にわたって延びる状態で設けられていると好適である。
【００１１】
本構成によれば、分草具が車輪の前後両側部にわたって延びる状態で設けられるから、未収穫領域に植えられている植立茎稈が車輪の前後方向全域にわたって分草案内されることになる。従って、未収穫領域に植えられている植立茎稈が車輪にて踏み付けられることを一層回避し易いものにできる。
【００１２】
本発明においては、前記車輪として、左右一対の前輪と左右一対の後輪とが備えられ、前記分草具が、前記前輪の横外方側に位置する状態で備えられていると好適である。
【００１３】
本構成によれば、左右一対の前輪と左右一対の後輪を備えた４輪式の走行車体において、前輪の横外方側に位置する状態で分草具が備えられる。
【００１４】
ところで、４輪式の走行車体では、左右車輪間隔をできるだけ広く採るために、左右一対の前輪は機体横幅方向両側端部に位置する状態で設けられる。そのため、走行車体の走行に伴って、未収穫領域に植えられている植立茎稈に前輪が接触するおそれが大となる。
【００１５】
そこで、前輪の横外方側に位置する状態で分草具を備えることにより、前輪により未収穫領域に植えられている植立茎稈が踏み付けられることを回避し易いものにできるのである。
【００１６】
本発明においては、前記左右一対の前輪が操向操作不能な状態で備えられていると好適である。
【００１７】
本構成によれば、分草具は、操向操作されず姿勢が常に一定に維持される前輪の横外方側に位置する状態で備えられることになる。このように構成することで、前輪が操向操作される場合に比べて、分草具の支持構造を簡素なもので済ませることができる。尚、走行車体の旋回操作は、後輪を操向操作可能な状態で備えることにより行うことができる。
【００１８】
本発明においては、前記分草具が、前記車輪よりも機体横幅方向内方側に備えられた伝動ケースに支持されていると好適である。
【００１９】
本構成によれば、車輪を駆動するために備えられる伝動ケースは、車輪よりも機体横幅方向内方側に備えられることになる。この伝動ケースは、その内部に車輪を駆動するための伝動機構を内装するものであるから支持強度が大きいものである。
【００２０】
そして、伝動ケースに分草具を支持させるようにしたので、支持強度の大きい伝動ケースを利用して、分草具を強固に支持することができるとともに、分草具を支持するための専用の支持フレームを車体フレームから別途延設する等の構成の複雑化を招くことなく、既存の伝動ケースを利用して簡素な支持構造で分草具を支持できる。
【００２１】
本発明においては、前記分草具が、前記車輪の回転軸芯よりも下方側の位置で植立茎稈に作用するように構成されていると好適である。
【００２２】
走行しながら収穫作業を行う場合、未収穫領域に植えられている植立茎稈が回転している車輪に対して、車輪の回転軸芯よりも下方側箇所に接触すると、車輪の回転に伴って下方側に巻き込まれて踏み付けられるおそれが大となる。
【００２３】
そこで、本構成によれば、分草具が、車輪の回転軸芯よりも下方側の位置で植立茎稈に作用するように構成される。このように分草具が車輪の回転軸芯よりも下方側の位置で作用するように設けられることにより、植立茎稈が車輪の回転に伴って、車輪の下方側に巻き込まれて踏み付けられることを回避し易いものとなる。
【００２４】
又、未収穫領域に植えられている植立茎稈は、回転軸芯よりも下方側の位置で分草具により分草案内されると、その分草案内位置よりも上方側の部位も同様に、車輪から離間するように案内されることになる。
【００２５】
つまり、車輪の回転軸芯よりも上方側の位置に分草具を設けなくても、植立茎稈が車輪の回転に伴って下方側に巻き込まれて踏み付けられることを良好に回避できる。
【００２６】
本発明においては、前記分草具が、分草用下降位置に位置する作用状態と、非作用上昇位置に位置する非作用状態とに切り換え自在に設けられていると好適である。
【００２７】
本構成によれば、圃場の内方側で収穫作業するときには、分草具を作用状態に切り換えることで、未収穫領域に植えられている植立茎稈を案内することができ、植立茎稈が踏み付けられることを回避して、良好な収穫作業を行うことができる。
【００２８】
そして、畦際に沿って走行しながら収穫作業を行うときには、分草具を非作用状態に切り換えることで、前輪を畦にできるだけ近付けて未作業域が発生しない状態で良好な収穫作業を行うことができ、又、路上走行を行なうときには、分草具を非作用状態に切り換えることで、路上の障害物に分草具が衝突する事態を防止できる。
【００２９】
このように作業状況や走行状態の違いに応じて分草具の姿勢を切り換えることで良好な収穫作業を行うことや分草具を保護することが可能となる。
【００３０】
本発明においては、前記分草具が、走行車体に固定された支持部材に対して前後向き軸芯周りで回動自在に、且つ、その前後向き軸芯周りでの回動により前記作用状態と前記非作用状態とに切り換え自在に設けられ、前記分草具を前記作用状態及び前記非作用状態にて位置保持可能な保持手段が備えられていると好適である。
【００３１】
本構成によれば、分草具は、走行車体に固定された支持部材に対して前後向き軸芯周りで回動自在に設けられる。このように構成すると、例えば、分草具を、上下軸芯周りで回動自在に設ける構成や横向き軸芯周りで回動自在に設ける構成に比べて、分草具の機体横幅方向での位置変位量を少なくしてコンパクトに配備することが可能となる。又、揺動させるだけで分草具の姿勢を変更できるので扱い易いものとなる。
【００３２】
又、保持手段により作用状態及び非作用状態にて夫々位置保持が可能であるから、作用状態で分草具を位置保持させることにより、植立茎稈の分草案内を良好に行うことができ、非作用状態で分草具を位置保持させることにより、走行に伴う不要な振動等を抑制できる。
【００３３】
本発明においては、前記保持手段がネジ締結により前記分草具と前記支持部材とを位置固定するものであると好適である。
【００３４】
本構成によれば、分草具と支持部材とがネジ締結により位置固定されるので、分草具を確実に位置保持することができる。
【００３５】
本発明においては、前記支持部材に、前記走行車体に固定される固定部と、その固定部から機体前後両側方に延びる前後一対のアーム部とが備えられ、前記分草具が、前後一対の前記アーム部の延出端部に支持されていると好適である。
【００３６】
本構成によれば、支持部材は、固定部が走行車体に固定され、車輪を前後方向に迂回するように、固定部から機体前後両側方に延びる状態で前後一対のアーム部が備えられる。そして、分草具は、一対のアーム部の延出端部、すなわち、固定部から後方に延びるアーム部の後端部、及び、固定部から前方に延びるアーム部の前端部にて、両持ち状態で安定的に支持される。
【００３７】
従って、分草具が、車輪の機体横幅方向外方側に位置する状態で、固定部から車輪を前後方向に迂回するように延設された一対のアーム部にて両持ち状態で安定的に支持される。
【００３８】
本発明においては、前記分草具に、前記前後向き軸芯から下向きに延びる下向き延設部と、その下向き延設部の下端部から機体横幅方向外方側に向かって一体的に延びる横向き延設部と、その横向き延設部の延出端部から前後方向に延びる分草作用部とが備えられていると好適である。
【００３９】
本構成によれば、分草具の姿勢切り換え用の前後向き軸芯から下向き延設部の延設長さ分だけ下方側で、且つ、横向き延設部の延設長さ分だけ機体横幅方向外方側に寄った箇所に分草作用部が備えられる。
【００４０】
すなわち、分草具を前後向き軸芯周りで回動自在に支持する支持部材は、車輪の回転軸芯近くに位置する伝動ケース等の機体側の被支持部に固定されるので、姿勢切り換え用の前後向き軸芯が支持部材に対応する高い位置に備えられる。一方、植立茎稈に作用する分草作用部を車輪の機体横幅方向外方側の低い位置に備えることができ、且つ、車輪の前方に位置する横向き延設部が低位置でかつ横に広い分草用の部材として利用できるので、分草機能が向上するものとなる。
【００４１】
従って、支持部材が強固に支持されるものでありながら、分草作用部が車輪の機体横幅方向外方側の低い位置に備えられることで、未収穫領域に植えられている植立茎稈を良好に分草案内することができる。
【００４２】
本発明においては、前記横向き延設部が前記下向き延設部よりも長尺に設けられていると好適である。
【００４３】
本構成によれば、前後向き軸芯から下方への延設長さが短く、前後向き軸芯から機体横幅方向外方側への延設長さが長いので、分草作用部があまり低くなり過ぎず、且つ、前後向き軸芯周りで揺動させて分草具の姿勢変更を行うときに、下向き延設部を長くする場合に比べて、少ない操作量で分草具の姿勢変更を行えるものとなる。
【００４４】
本発明においては、前記支持部材が、前記車輪よりも機体横幅方向内方側に備えられた伝動ケースに支持されていると好適である。
【００４５】
本構成によれば、上述したように支持強度の大きい伝動ケースを利用して、支持部材を強固に支持することができる。
【図面の簡単な説明】
【００４６】
【図１】トウモロコシ収穫機の右側面図である。
【図２】トウモロコシ収穫機の平面図である。
【図３】トウモロコシ収穫機の左側面図である。
【図４】車体レームに対する車輪取付け状態を示す平面図である。
【図５】分草具配設部の側面図である。
【図６】前輪支持部の正面図である。
【図７】前輪支持部の平面図である。
【図８】分草具の斜視図である。
【発明を実施するための形態】
【００４７】
以下、本発明の実施形態を収穫機の一例としてのトウモロコシ収穫機に適用した場合について図面に基づいて説明する。
【００４８】
図１〜図３に示すように、本発明に係るトウモロコシ収穫機は、左右一対のゴムタイヤ型の前輪１と左右一対のゴムタイヤ型の後輪２とを備えた走行車体３と、この走行車体３の前部に位置する収穫装置としての収穫処理装置４と、収穫処理装置４の後部から走行車体３の上方にわたって前後方向に延びる搬送装置としてのフィーダ５と、走行車体３の後部に位置する回収部としての回収タンク６と、走行車体３の下部であって前輪１と後輪２との間の前後中間部に位置する残稈処理装置７とを備えて構成されている。
【００４９】
植物体としてのトウモロコシは、植立する茎稈に対し収穫時期に多数の種子（実）を内包する房状部を作る。この房状部の包葉の内部に多数の種子が含まれ、この種子は棒状の芯の外面に整列する形態で形成される。本発明に係るトウモロコシ収穫機は、包葉の内部に多数の種子を備えた房状部を収穫対象物として収穫して回収するものである。
【００５０】
すなわち、このトウモロコシ収穫機は、収穫作業時には、前輪１の駆動により走行車体３を走行させ、収穫処理装置４で収穫した収穫対象物がフィーダ５によって回収タンク６に向けて搬送され、回収タンク６に貯留される。そして、収穫時に圃場に残された茎稈は残稈処理装置７により破砕処理される。
【００５１】
走行車体３は、機体前部に上方がキャビン８により覆われる状態で運転部９が備えられ、その運転部９の後方に原動部１０を備えて、左右向き固定状態の左右一対の前輪１を原動部１０に設けたエンジン１１によって駆動して走行可能に構成されている。
【００５２】
図４に示すように、左右一対の後輪２は、油圧操作式の操向シリンダＣ１によって左右に向き変更操作可能に設けられ、運転部９に備えられた操向操作具としてのステアリングハンドル２８と操向シリンダＣ１とが、図示しない油圧式の連係機構を介して連係されており、ステアリングハンドル２８を回動操作することにより、左右一対の後輪２が操向操作されるように構成されている。
【００５３】
図２に示すように、キャビン８の左側出入り口の横外側に、乗降デッキ１２及び乗降階段１３が設けられている。乗降階段１３は、揺動軸芯周りに揺動操作することにより、前輪１の横外側に位置した使用位置と、前輪１の後側に位置した格納位置とに切り換えできるようになっている。
【００５４】
フィーダ５に対して機体左側の横側部に補助作業者搭乗デッキ１４が備えられ、この補助作業者搭乗デッキ１４に補助作業者が搭乗してフィーダ５のトウモロコシ搬出状況を監視するなどの補助作業を行えるようになっている。補助作業者搭乗デッキ１４は、前端が乗降デッキ１２の後端の近くに位置するよう配備されている。
【００５５】
図３に示すように、補助作業者搭乗デッキ１４は、エンジン１１に供給される燃料を貯留するための燃料タンク１５の上方に位置しており、燃料タンク１５の上方を覆うカバー機能を備えている。又、図１に示すように、原動部１０には、エンジン１１、エンジン冷却用のラジエータ１６、吸気ケース１７、燃焼用空気を吸気するエアクリーナ１８及びプレクリーナ１９等が備えられている。
【００５６】
図１及び図４に示すように、走行車体３を支持する車体フレームＦは、走行車体３の左右両側に位置し且つ走行車体３の前後方向にわたって延びるメインの支持体としての左右一対の前後向きフレーム体２０と、機体前部側箇所、機体後部側箇所、及び、前後中間部側箇所の夫々において、左右一対の前後向きフレーム体２０を連結する横方向に沿って延びる複数の横連結部材２１と、運転部９とそれを囲うキャビン８とを下方から支持する運転部フレーム２３とを備えている。運転部フレーム２３は、左右一対の前後向きフレーム体２０から上部側に立設される状態で備えられている。
【００５７】
収穫処理装置４は、車体フレームＦにおける運転部フレーム２３に横軸芯Ｐ１周りで揺動自在に支持され、車体フレームＦの下部に支持された左右一対の油圧操作式の収穫処理装置用の昇降シリンダＣ２（以下、収穫処理シリンダと略称する）により駆動昇降自在に構成されている。
【００５８】
このトウモロコシ収穫機は、圃場で収穫作業を行う場合、走行車体３の右側に未収穫領域が位置し、左側に既作業領域が位置する状態で、トウモロコシの植立条に沿って走行車体３を直進状態で走行させながら収穫作業を行う。
【００５９】
そして、このトウモロコシ収穫機では、収穫作業を行うときに、未収穫領域に植えられているトウモロコシの植立茎稈が前輪１によって踏み付けられることがないように分草案内する分草具４０が備えられている。
【００６０】
すなわち、図４に示すように、左右一対の前輪１のうちの右側の前輪１（以下、右前輪と略称する）の機体横幅方向外方側に位置する状態で植立茎稈を分草案内する分草具４０が備えられている。
【００６１】
この分草具４０は、右前輪１の前後両側部にわたって延びる状態で設けられ、右前輪１の回転軸芯Ｐ２よりも下方側の位置で植立茎稈に作用するように構成されている。又、分草具４０が、分草用下降位置に位置する作用状態と、非作用上昇位置に位置する非作用状態とに切り換え自在に設けられている。
【００６２】
図５及び図６に示すように、左右一対の前輪１を夫々駆動する左右一対の前輪駆動ケース２９が、車体フレームＦに支持される状態で備えられている。前輪駆動ケース２９は、内部に減速機構（図示せず）を備え、ミッションケース３０を介してエンジン１１から伝達される駆動力を減速機構によって減速して前輪１に伝達するように構成されている。
【００６３】
そして、分草具４０が、右側の前輪駆動ケース２９（伝動ケースの一例）に固定された支持部材４１に対して、前後向き軸芯Ｐ３周りで回動自在に、且つ、その前後向き軸芯Ｐ３周りでの回動により作用状態と非作用状態とに切り換え自在に設けられている。
【００６４】
図８に示すように、支持部材４１は、右側の前輪駆動ケース２９の下面側に固定される前後中央部に位置する固定部４２と、その固定部４２から機体前後両側方に延びる前後一対のアーム部４３とを備えており、分草具４０が、前後一対のアーム部４３の延出端部４３ａに支持されている。
【００６５】
前記前輪駆動ケース２９は、上述したように、その内部に前輪駆動用の伝動機構を内装するものであり、右前輪１の機体横幅方向内方側に位置する状態で車体フレームＦに連結固定されており、大きい支持強度を有するものである。
【００６６】
図７及び図８に示すように、前後一対のアーム部４３の延出端部４３ａの夫々は、右前輪１の機体横幅方向内側面に沿うように機体前後両側方に延びるとともに、その先端部が機体横幅方向外方側に向けて平面視でＬ字形に屈曲形成されている。そして、前後一対のアーム部４３の延出端部４３ａには、ループ状に一連に連なるように設けられた分草具４０が、前後向き軸芯Ｐ３周りで回動自在に支持されている。
【００６７】
分草具４０は、図６及び図８に示すように、前後両側部夫々に、作用状態において前後向き軸芯Ｐ３から下向きに延びる下向き延設部４０Ａが備えられている。そして、前後夫々の下向き延設部４０Ａの下端部から機体横幅方向外方側に向かって一体的に延びる横向き延設部４０Ｂが備えられている。その前後両側の横向き延設部４０Ｂの延出端部同士の間に一連に連なる状態で前後方向に延びる分草作用部４０Ｃが備えられている。又、横向き延設部４０Ｂは下向き延設部４０Ａよりも長尺に設けられている。
【００６８】
つまり、分草具４０は、平面視で右前輪１の機体横幅方向外方側をループ状に囲うように、前後一対の下向き延設部４０Ａ、前後一対の横向き延設部４０Ｂ、及び、分草作用部４０Ｃの夫々が、一連に連なる状態で一体形成されている。
【００６９】
又、分草具４０を作用状態及び非作用状態にて位置保持可能な保持手段としての保持機構４４が備えられている。この保持機構４４はネジ締結により分草具４０と支持部材４１とを位置固定するものである。
【００７０】
説明を加えると、一方の下向き延設部４０Ａに一体的に回動する連結板４５が設けられ、連結板４５には、作用状態と非作用状態とにおいて、支持部材４１に形成された固定側のネジ挿通孔４６と重なるように位置を異ならせて２つの可動側のネジ挿通孔４７ａ，４７ｂが形成されている。
【００７１】
分草具４０が作用状態（図６の実線で示す）にあると、一方の可動側のネジ挿通孔４７ａと固定側のネジ挿通孔４６とが連通する状態となり、それらにネジ４８を挿通してナット４９で締め付けることにより、ネジ締結にて支持部材４１と分草具４０とを位置固定することができる。
【００７２】
又、分草具４０が非作用状態（図６の仮想線で示す）にあると、他方の可動側のネジ挿通孔４７ｂと固定側のネジ挿通孔４６とが連通する状態となり、それらにネジ４８を挿通してナット４９で締め付けることにより、ネジ締結にて支持部材４１と分草具４０とを位置固定することができる。
【００７３】
横向き延設部４０Ｂは下向き延設部４０Ａよりも長尺に設けられていることから、図６に示すように、作用状態と非作業状態との間で姿勢に切り換えても、分草具４０の機体横幅方向外方側への突出量は少ないものとなる。又、分草具４０は、作用状態において、右前輪１の回転軸芯Ｐ３よりも下方側の位置で植立茎稈に作用するように構成されている。
【００７４】
〔別実施形態〕
（１）上記実施形態では、操向不能な左右一対の前輪１と操向操作自在な左右一対の後輪２とを備え、右側の前輪１に分草具４０を備える構成としたが、このような構成に代えて、左右の前輪１の夫々に分草具４０を備える構成や右側の前輪１と右側の後輪２とに分草具４０を備える構成としてもよい。又、４輪式の走行車体３ではなく、３輪式の走行車体や、左右両側に夫々、前後方向に複数の車輪を並べる状態で備えた多輪式の走行車体であってもよい。又、車輪としては、ゴムタイヤ型の車輪に限らず、駆動車輪としてクローラベルト式の走行車輪を備える構成として、そのクローラベルト式の走行車輪の横側方に分草具を備える構成としてもよい。
【００７５】
（２）上記実施形態では、保持手段として、ネジ締結により分草具４０と支持部材４１とを位置固定する保持機構４４を示したが、このような構成に代えて、摩擦保持力により作用状態と非作用状態とで位置保持するものや、あるいは、トグルバネを用いてデッドポイントを乗り越えて揺動させて作用状態と非作用状態とで位置保持するもの等、種々の構成を適用できる。
【００７６】
（３）上記実施形態では、分草具４０が、前後両側で両持ち状態に支持され、車輪１の前後両側部にわたって延びる状態で設けられる構成としたが、分草具４０が車輪１の前後方向の一部の箇所だけに作用するものでもよく、片持ち状に延びる構成のものでもよい。
【００７７】
（４）上記実施形態では、分草具４０が前輪駆動ケース２９に支持される構成としたが、分草具４０が、車体フレームＦあるいは車体フレームＦから延設されたフレーム体（図示せず）に支持される構成としてもよい。
【産業上の利用可能性】
【００７８】
本発明は、収穫装置を備え且つ車輪にて走行可能に構成された収穫機に適用できる。
【符号の説明】
【００７９】
１        前輪
２        後輪
３        走行車体
４        収穫装置
２９      伝動ケース
４０      分草具
４０Ａ    下向き延設部
４０Ｂ    横向き延設部
４０Ｃ    分草作用部
４１      支持部材
４２      固定部
４３      アーム部
４４      保持手段
Ｐ３      前後向き軸芯
【図１】
2014068563.tif 000003
【図２】
2014068563.tif 000004
【図３】
2014068563.tif 000005
【図４】
2014068563.tif 000006
【図５】
2014068563.tif 000007
【図６】
2014068563.tif 000008
【図７】
2014068563.tif 000009
【図８】
2014068563.tif 000010